(57)【要約】【課題】  電磁加熱装置における操作部の操作感のバラツキや変化をなくし、均一な操作感を得ることができる電磁加熱調理器を提供することを目的とする。【解決手段】  操作部１５は本体１０の前部に配置され製品前方に傾斜している。操作部１５の上面には接触部を形成する操作ボタン１７が印刷で形成されている。操作部１５下面には操作ボタン１７に対向する位置に受電部１８が形成してある。操作部１５の構成より操作感が均一であり、かつ前面に傾斜しているので操作しやすい。また、操作部１５を形成するガラス板は耐熱性を必要としないので経済的であり、加工においても操作部１５のみの加工で良いので取り回しが良い。【選択図】  図１
2005050722.tif 000002
【特許請求の範囲】
【請求項１】
耐熱ガラス板で形成した天板と、前記天板外周を保持する天枠と、前記天板下部に備えられた電磁加熱装置と、任意のガラス材質のガラス板で形成された操作部とを備え、前記操作部の上面に接触部を設け、前記操作部の下面の前記接触部に対向した位置に受電部を設け、前記受電部に電気的に接続される接続部を備えた電磁加熱調理器。
【請求項２】
耐熱ガラスで形成した天板と、前記天板に形成した調理鍋等を載置する加熱面と、前記天板の一部に形成された操作部と、前記加熱面の下部に備えた電磁加熱装置と、前記天板の略外周を保持する天枠とを備え、前記加熱面と前記操作部との間に前記天枠の一部で形成した分離部を設ける構成とした電磁加熱調理器。
【請求項３】
天枠と分離部が天板より上方に凸である請求項２記載の電磁加熱調理器。
【請求項４】
天板を略水平とし、操作部を傾斜させて天板外周の任意の位置に配置する構成とした請求項１記載の電磁加熱調理器。
【請求項５】
天板を略水平とし、操作部を本体の前面に位置させるとともに操作部を前傾させる構成とした請求項１記載の電磁加熱調理器。
【発明の詳細な説明】
【技術分野】
【０００１】
本発明は、一般家庭やオフィス等で仕様される電磁加熱調理器に関するものである。
【背景技術】
【０００２】
従来、この種の電磁加熱調理器は、加熱面と操作部とが分離していて操作面はガラスでなく合成樹脂等で形成されている（例えば特許文献１参照）。
【０００３】
また、操作部が前傾していて操作部は合成樹脂等で形成されている（例えば特許文献２参照）。
【特許文献１】特開昭６３−２３６２９１号公報（第２図、第３図、第４図）
【特許文献２】特開平３−１１４１８５号公報（第２図）
【発明の開示】
【発明が解決しようとする課題】
【０００４】
しかしながら、前記従来の構成では、操作部と加熱面とが離れていて調理物を見ながら火加減を調節することが難しい。
【０００５】
また、操作面は耐熱ガラスで形成しなくても通常のガラスで形成しても良いが、天板と一体構成であるので耐熱ガラスで形成している。
【０００６】
また、天板とは別の合成樹脂等で操作部を形成しているので、合成樹脂のヒケや歪みの発生により操作部の操作感が製品毎に異なる。
【０００７】
さらに、天板と同一面に操作部を形成しているので、加熱中の熱い鍋やフライパンが操作部に触れて操作時に熱かったり操作中に不意にフライパンが操作部を操作している手に触れたりすることがある。
【課題を解決するための手段】
【０００８】
本発明は、前記従来の課題を解決するもので、操作部がガラス板で形成されていることで、操作部の構造が簡単になり、部品の精度が要求されなくなる。また、天板は耐熱ガラスで形成されているが、これは鍋やフライパン等の高温での調理をしなければならないからである。一方操作部は高温にならないので一般的なガラスで形成することができる。天板と操作部が一体時には操作部も耐熱ガラスで形成しなければならず材料のガラスも高価な耐熱ガラスを使用していたが分離することで一般的なガラスが使用できる。また、操作部と天板とが分離されているので加工上も小さい操作部を運搬しながらの加工であり簡便な加工ができる。さらに、操作部が前傾しているので操作しやすいだけでなく高温の鍋やフライパンが操作部に当たることなく操作部が異常高温になることがない。
【０００９】
また、本発明の電磁加熱調理器は、耐熱ガラス板で形成した天板と、前記天板外周を保持する天枠と、前記天板下部に備えられた電磁加熱装置と、任意のガラス材質のガラス板で形成された操作部とを備え、前記操作部の上面に接触部を設け、前記操作部の下面の前記接触部に対向した位置に受電部を設け、前記受電部に電気的に接続される接続部を備えた構成としたものである。
【００１０】
これによって、操作部の操作感覚が均一に加工でき、また、加工時に操作部のみを運搬し取り回しできるので加工しやすい。また、操作部は一般ガラスで構成できるので経済的である。
【発明の効果】
【００１１】
本発明の電磁加熱調理器は、部品のばらつきによる操作性の不均一化を防止でき、均一で操作性の良い操作感を得ることができる。
【発明を実施するための最良の形態】
【００１２】
第１の発明は、耐熱ガラス板で形成した天板と、前記天板外周を保持する天枠と、前記天板下部に備えられた電磁加熱装置と、任意のガラス材質のガラス板で形成された操作部とを備え、前記操作部の上面に接触部を設け、前記操作部の下面の前記接触部に対向した位置に受電部を設け、前記受電部に電気的に接続される接続部を備えたことにより、操作部が天板とは別に形成でき操作部を形成するガラス板の大きさが天板と一体に形成する場合に比べ小さくなり加工が容易になる、そのため、形状において寸法ばらつきがなく加工でき、外観は天板と操作部が一体に形成されたものと同様の構成にできることで使用者にとっては操作感のばらつきのない均一な操作感の操作部を得ることができる。
【００１３】
第２の発明は、耐熱ガラスで形成した天板と、前記天板に形成した調理鍋等を載置する加熱面と、前記天板の一部に形成された操作部と、前記加熱面の下部に備えた電磁加熱装置と、前記天板の略外周を保持する天枠とを備え、前記加熱面と前記操作部との間に前記天枠の一部で形成した分離部を設ける構成としたことにより、操作部に高温の鍋やフライパンが乗ることがなく、操作部が加熱されることがない、したがって、操作部が天板とは別に形成でき操作部を形成するガラス板の大きさが天板と一体に形成する場合に比べ小さくなり加工が容易になる、そのため、形状において寸法ばらつきがなく加工でき、外観は天板と操作部が一体に形成されたものと同様の構成にできることで使用者にとっては操作性の良い電磁加熱調理器を得ることができる。
【００１４】
第３の発明は、特に、第２の発明の天枠と分離部が天板より上方に凸である構成にすることで、操作部に高温の鍋やフライパンが乗りかかっても、直接に操作部に当接することなく、操作部が高温になるのを防止することができ操作性の良い電磁加熱調理器を得ることができる。
【００１５】
第４の発明は、特に第１の発明の天板を略水平とし、操作部を傾斜させて天板外周の任意の位置に配置する構成とすることで、操作部を見るときに目視し易い角度に前傾している。また、操作部を天板と別部材で形成することができるので一般的なガラス板で形成することができ経済的であると同時に、操作部が天板から独立しているので加工時に取り回しが簡単にできる。
【００１６】
第５の発明は、第１の発明の天板を略水平とし、操作部を本体の前面に位置させるとともに操作部を前傾させる構成としたことで、製品を使用している時に操作部を見る角度が操作部と略直角になり操作部を見やすくすることができる。また、高温の鍋やフライパン等が直接操作部に当たることなく、操作部が高温にならない。
【００１７】
以下、本発明の実施の形態について図面を参照しながら説明する。なお、この実施の形態によって本発明が眼底されるものではない。
【００１８】
（実施の形態１）
図１は本発明の第１の実施形態における電磁加熱調理器の断面図を示すものである。
【００１９】
図１において、本体１０上部に位置する天板１１は板厚が４ｍｍの耐熱ガラスで形成されている。この耐熱ガラスは熱膨張率がほぼ０であり、４００Ｋの熱衝撃にも耐えうる材料である。天板１１の外周はステンレス鋼板をプレス加工して形成した天枠１２で外周を保持されている。天枠１２と天板１１とはシリコン系接着剤で天板１１の外周を天枠１２に設けた穴部１３に沿わせて接着し天板１１と天枠１２とは水密的に接着される。
【００２０】
穴部１３は天枠１２上面から約２ｍｍ下方に凹状に段部１４が設けてある。前記天板１１はこの段部１４の下面に接着されることとなる。
【００２１】
操作部１５は天枠１２の製品の前部側に形成された外面にほぼ並行に約２ｍｍ凹状の傾斜凹部１６の下面にシリコン系接着剤で外周を水密的に接着されて固定される。
【００２２】
操作部１５は板厚４ｍｍのホウ酸ガラスで形成されている。操作部１５は本体１０の前部に配置され製品前方に傾斜している。操作部１５の上面には接触部を形成する操作ボタン１７が印刷で形成されている。操作ボタン１７は金属酸化物を含有する塗料で印刷されて焼き付けされる。操作部１５下面には前記操作ボタン１７に対向する位置に操作ボタン１７より大きい面積の受電部１８が同じく金属酸化物を成分とする塗料を印刷して焼き付けて形成されている。
【００２３】
接触部を形成する操作ボタン１７と受電部１８とは絶縁物であるガラスで形成された操作部１５を挟んでコンデンサを形成している。
【００２４】
前記受電部１８には板厚０．３ｍｍのリン青銅をプレス加工して形成されて弾性を有する略Ｓ時の接続部１９の一端が自己の弾性で付勢されて電気的に接続されている。接続部１９は略Ｓ時の湾曲部２０を前記受電部１８に接触させるとともに操作部１５の下方に位置して操作部１５にほぼ並行に位置する操作基板２１に他端をハンダ付けされている。他端には操作基板２１の挿入穴２２にセットしたときの抜け防止のために引っ掛け部２３がプレス加工で形成されている。
【００２５】
ここで、操作基板２１は受電部１８に接続されていて、パルス信号または交流信号を送ることで操作ボタン１７が接地しているか接地していないかを検知することができる。
【００２６】
操作基板２１は操作ボタン１７を人の指が触れると人体がアース線となって操作ボタン１７を接地することとなる。このとき操作ボタン１７と受電部１８とで形成されたコンデンサを操作基板２１が測定しながら操作ボタン１７が接地しているかどうかを判定する。
【００２７】
天板１１下面に溶接された一対の固定金具２４には前記操作基板２１が固定される。これにより操作部１５は直接天枠１２に固定され、一方操作基板２１は固定金具２４を介して天枠１２に固定されることとなり、位置決めが最小部品点数の間でできるので部品の位置ずれが小さくなる。
【００２８】
天枠１２後方上面には横長に上面から一段絞って吸気口２５が設けてあり冷却ファン２６の吸入口２７と連通している。吸気口２５はフィルター２８で覆われている。冷却ファン２６は吸気した冷気を本体１０内に供給する。供給された冷気は電力制御基板上２９と電力制御基板下３０に供給され、特に大電流を制御している制御部品を冷却する。
【００２９】
右加熱コイル３１と左加熱コイル３２とは本体１０内の天板１１下部に位置し、中央には天板１１の温度を検知する温度検知センサ３３が備えられている。前記電力制御基板上２９と右加熱コイル３１、電力制御基板下３０と左加熱コイル３２でそれぞれ電磁加熱装置３４を構成している。天板１１の右加熱コイル３１と左加熱コイル３２の各々の上に位置する部分には鍋やフライパンを置く目安になる円形リング状に加熱目印３５が印刷してある。
【００３０】
外郭３６は前記天枠１２を上部に嵌着して本体１０を形成している。
【００３１】
操作基板２１には液晶表示装置３７がハンダ付けされている。液晶表示装置３７は下面からバックライト３８で光を照射されて製品上面から見やすくなっている。
【００３２】
本体１０左側にはロースター３９が配置されている。ロースター扉４０はハンドル４１で開閉される構成である。
【００３３】
操作部１５には右加熱コイル３１と左加熱コイル３２とロースター３９とを制御する各々のユニットがあり、各々の制御は操作ボタン１７で行う。操作ボタン１７の構成は全て同じ構成である。表示はユニット毎に液晶表示装置３７で行う。
【００３４】
主電源は電源スイッチ４２で開閉する。
【００３５】
図３において、操作部１５下面の受電部１８の一部を覆うように遮蔽印刷部４３が加工されている。遮蔽印刷部４３は受電部１８の印刷加工の後に印刷されて再度焼き付けられる。遮蔽印刷部４３はさらに液晶表示装置３７の表示窓４４を形成している。表示窓４４からは液晶表示装置３７の表示部４５のみ見えることになる。
【００３６】
操作部１５は傾斜凹部１６の端に設けられた爪部４６で位置決めされる。前記固定金具２４は傾斜凹部１６の天枠１２下面側への凸部４７を挟んで位置決めもできる構成になっている。また、操作基板２１は固定金具２４の位置決め爪部４８で位置決めされる構成である。従って、傾斜凹部１６が基準になり操作部１５、固定金具２４、操作基板２１が位置決めされることとなる。
【００３７】
以上のように構成された電磁加熱調理器について、以下その動作、作用を説明する。
【００３８】
まず、電源スイッチ４２を操作し通電可能にした後に、鍋やフライパンとの被加熱物（図示せず）を天板１１上の右の加熱目印３５に置く。操作部１５の操作ボタン１７を押して電力制御基板上２９を駆動し右加熱コイル３１を駆動する。この電磁加熱装置３４により被加熱物（図示せず）が加熱されて調理が可能になる。また操作ボタン１７を押して温度検知センサ３３の設定や加熱条件の設定を行い、操作状態は操作ボタン１７近傍の液晶表示装置３７の表示部４５に表示される。
【００３９】
調理が完了すると操作ボタン１７により電磁加熱装置３４の駆動を停止する。電源スイッチ４２を操作して通電を停止する。
【００４０】
以上のように、本実施の形態においては、操作部１５をガラス板の上面に接触面である操作ボタン１７を設け、操作部１５の下面に受電部１８を設け、受電部１８と操作基板２１とを電気的に接続した接続部１９を設けることにより、操作部１５のどの操作ボタン１７を操作しても均一な操作感を得ることができる。また、製品間の操作性のばらつきもない。
【００４１】
また、本実施の形態では、操作部１５を傾斜凹部１６に取り付けることにより操作ボタン１７の操作性が良く、操作部１５が傾斜しているので液晶表示装置３７が見やすい配置ができる。
【００４２】
（実施の形態２）
図４は本発明の第２の実施形態の電磁加熱調理器の部分断面図である。本体１０、天板１１、天枠１２、穴部１３、段部１４、操作部１５、傾斜凹部１６、操作ボタン１７、受電部１８、操作基板２１、固定金具２４、吸気口２５、冷却ファン２６、吸入口２７、フィルター２８、電力制御基板上２９、電力制御基板下３０、右加熱コイル３１、左加熱コイル３２、温度検知センサ３３、電磁加熱装置３４、加熱目印３５、外郭３６、液晶表示装置３７、バックライト３８、ロースター３９、ロースター扉４０、ハンドル４１、電源スイッチ４２、遮蔽印刷部４３、表示窓４４、表示部４５、爪部４６、凸部４７、位置決め爪部４８は実施の形態１と同じ形状と機能であり、同一の符号と名称を使用する。
【００４３】
接続部５０は導電性の発砲ゴムを成形加工する。操作基板２１上に接着して固定し、受電部１８と操作基板２１とを電気的に接続する。
【００４４】
本実施の形態においては、操作部１５をガラス板の上面に接触面である操作ボタン１７を設け、操作部１５の下面に受電部１８を設け、受電部１８と操作基板２１とを電気的に接続した接続部５０を設けることにより、操作部１５のどの操作ボタン１７を操作しても均一な操作感を得ることができる。また、製品間の操作性のばらつきもない。
【００４５】
また、本実施の形態では、操作部１５を傾斜凹部１６に取り付けることにより操作ボタン１７の操作性が良く、操作部１５が傾斜しているので液晶表示装置３７が見やすい配置ができる。
【００４６】
（実施の形態３）
図５と図６とは本発明の第３の実施形態の電磁加熱調理器の部分断面図である。本体１０、穴部１３、段部１４、操作ボタン１７、受電部１８、接続部１９、湾曲部２０、操作基板２１、挿入穴２２、引っかけ部２３、固定金具２４、吸気口２５、冷却ファン２６、吸入口２７、フィルター２８、電力制御基板上２９、電力制御基板下３０、右加熱コイル３１、左加熱コイル３２、温度検知センサ３３、電磁加熱装置３４、加熱目印３５、外郭３６、液晶表示装置３７、バックライト３８、ロースター３９、ロースター扉４０、ハンドル４１、電源スイッチ４２、遮蔽印刷部４３、表示窓４４、表示部４５、爪部４６、凸部４７、位置決め爪部４８は実施の形態１と同じ形状と機能であり、同一の符号と名称を使用する。
【００４７】
天板６０には加熱目印３５が印刷してあり、加熱目印３５近傍を含んで加熱面６１を形成している。天板６０の製品前側には操作部６２が天板６０の一部を用いて形成されている。天枠６３の穴部１３に設けられた段部１４に天板６０の外周をシリコン系接着剤で水密的に接着されている。天板６０の操作部６２と加熱目印３５との間には天枠６３の一部である分離部６４が設けてある。天板６０と天枠６３とは段部１４の分だけ天枠６３のほうが上部に位置している。分離部６４は天枠６３の上面６５と同一の高さで上面６５を天枠６３から内側に伸設して操作部６２と加熱面６１とを分離している。従って、分離部６４の上面６５と天枠６３の上面６５とは同一面であり、天板６０より段部１４の高さ分操作部６２より高い位置いある。分離部６４の形成については天枠６３をプレス加工時に同時に加工することができ、材料も穴部１３の捨て材料を利用するので経済的である。
【００４８】
以上のように構成された電磁加熱調理器について、以下その動作、作用を説明する。
【００４９】
まず、電源スイッチ４２を操作し通電可能にした後に、鍋やフライパンとの被加熱物（図示せず）を天板６０上の加熱面６１の右の加熱目印３５に置く。操作部６２の操作ボタン１７を押して電力制御基板上２９を駆動し右加熱コイル３１を駆動する。この電磁加熱装置３４により被加熱物（図示せず）が加熱されて調理が可能になる。また操作ボタン１７を押して温度検知センサ３３の設定や加熱条件の設定を行い、操作状態は操作ボタン１７近傍の液晶表示装置３７の表示部４５に表示される。
【００５０】
調理が完了すると操作ボタン１７により電磁加熱装置３４の駆動を停止する。電源スイッチ４２を操作して通電を停止する。
【００５１】
以上のように、本実施の形態においては、操作部６２をガラス板の上面に接触面である操作ボタン１７を設け、操作部６２の下面に受電部１８を設け、受電部１８と操作基板２１とを電気的に接続した接続部１９を設けることにより、操作部６２のどの操作ボタン１７を操作しても均一な操作感を得ることができる。また、製品間の操作性のばらつきもない。
【００５２】
また、本実施の形態では、操作部６２と加熱面６１との間に分離部６４を形成することで、天板６０よりも高い位置に分離部６４が位置するので加熱面６１上の被加熱物（図示せず）が加熱面６１上を移動して操作部６２上に乗りかけても、分離部６４に乗り上げることで直接操作部６２には接触しないので操作部６２が高温になることはない。
【産業上の利用可能性】
【００５３】
以上のように、本発明にかかる電磁加熱調理器は、ガラス板で形成された操作部の上面に接触部を設け、操作部の下面の接触部に対向した位置に受電部を設け、受電部に電気的に接続される接続部を備えることで、操作部の操作感を均一にすることができるので、水密性が必要な操作部等の用途にも適用できる。
【図面の簡単な説明】
【００５４】
【図１】本発明の実施形態１における電磁加熱調理器の断面図
【図２】本発明の実施形態１における電磁加熱調理器の斜視図
【図３】本発明の実施形態１における電磁加熱調理器の操作部の部分断面図
【図４】本発明の実施形態２における電磁加熱調理器の操作部の部分断面図
【図５】本発明の実施形態３における電磁加熱調理器の斜視図
【図６】本発明の実施形態３における電磁加熱調理器の操作部の部分断面図
【符号の説明】
【００５５】
１１  天板
１２  天枠
１５  操作部
１７  操作ボタン（接触部）
１８  受電部
１９  接続部
３４  電磁加熱装置
５０  接続部
６０  天板
６１  加熱面
６２  操作部
６３  天枠
６４  分離部
【図１】
2005050722.tif 000003
【図２】
2005050722.tif 000004
【図３】
2005050722.tif 000005
【図４】
2005050722.tif 000006
【図５】
2005050722.tif 000007
【図６】
2005050722.tif 000008